(57)【要約】【課題】  映像表示装置において、テロップに対しＯＳＤ表示が重ならないようにする際、テロップは、表示時間が短いため、これに瞬時に対応しようとすると、通常の映像に対しても反応して誤動作してしまう。本発明の目的は、誤動作を起こさないようにすることにある。【解決手段】  画面の所定矩形エリアに表示された高輝度レベルの映像信号をフレームごとに検出して記憶する所定エリア信号抽出手段１０と、検出された映像パターンを順次比較照合することにより映像パターンの動きを検出するパターンマッチング動き検出部１１と、高輝度レベルの映像信号が所定時間継続して存在することをパターンマッチング動き検出部１１が検出したとき、高輝度レベルの映像信号をテロップと判断する手段と、ＯＳＤ表示とテロップの重なりを判別して重なりを生じない位置に文字パターンをＯＳＤ表示する重なり回避手段を備えた。【選択図】図１
2007028347.tif 000002
【特許請求の範囲】
【請求項１】
受信した放送番組の映像を表示し、あるいは外部機器からの映像信号を入力して映像を表示する映像表示装置において、
画面の所定矩形エリアに表示されたＲ、Ｇ、Ｂ各信号レベルが略同一で高輝度レベルの映像信号をフレームごとに検出して記憶する所定エリア信号抽出手段と、
前記フレームごとに記憶された映像パターンを順次比較照合することにより、前記所定エリア信号抽出手段で検出して記憶されたＲ、Ｇ、Ｂ各信号レベルが略同一で高輝度レベルの前記映像信号のパターンの動きを検出するパターンマッチング動き検出手段と、
Ｒ、Ｇ、Ｂ各信号レベルが略同一で高輝度レベルの前記映像信号が所定時間継続して存在することを前記パターンマッチング動き検出手段が検出したとき、Ｒ、Ｇ、Ｂ各信号レベルが略同一で高輝度レベルの前記映像信号をテロップと判断する手段と、
ＯＳＤ表示する文字パターンの表示位置と前記テロップの表示位置の重なりを判別して重なりを生じない位置に文字パターンをＯＳＤ表示する重なり回避手段を備えたことを特徴とする映像表示装置。
【請求項２】
前記パターンマッチング動き検出手段は、Ｒ、Ｇ、Ｂ各信号レベルが略同一で高輝度レベルの前記映像信号が同一パターンで所定時間継続して同一位置に表示されているときテロップと判断する手段を備えたことを特徴とする請求項１に記載の映像表示装置。
【請求項３】
前記パターンマッチング動き検出手段は、Ｒ、Ｇ、Ｂ各信号レベルが略同一で高輝度レベルの前記映像信号が同一パターンで所定時間継続して動いているときテロップと判断する手段を備えたことを特徴とする請求項１に記載の映像表示装置。
【請求項４】
前記パターンマッチング動き検出手段は、Ｒ、Ｇ、Ｂ各信号レベルが略同一で高輝度レベルの前記映像信号のパターンがランダムな動きをしているときは、前記ＯＳＤ表示する文字パターンの表示位置を予め決められた標準位置に設定する手段を備えたことを特徴とする請求項１に記載の映像表示装置。
【請求項５】
前記重なり回避手段は、前記ＯＳＤ表示する文字パターンの表示位置と前記テロップの表示位置の重なると判別したとき、前記ＯＳＤ表示する文字パターンの表示位置をサイドパネルに設定する手段を備えたことを特徴とする請求項１乃至請求項４のいずれか一項に記載の映像表示装置。
【請求項６】
前記重なり回避手段は、前記ＯＳＤ表示する文字パターンの表示位置と前記テロップの表示位置の重なると判別したとき、前記ＯＳＤ表示する文字パターンの表示位置を画面隅位置でかつ前記テロップと重ならない位置に設定する手段を備えたことを特徴とする請求項１乃至請求項４のいずれか一項に記載の映像表示装置。
【請求項７】
前記Ｒ、Ｇ、Ｂ各信号レベルが略同一で高輝度レベルの映像信号は、輝度レベルが９０％を超えた映像信号であることを特徴とする請求項１乃至請求項６のいずれか一項に記載の映像表示装置。
【請求項８】
画面にテロップとＯＳＤ表示の文字パターンが同時に表示される映像表示装置のテロップ表示時のＯＳＤ表示位置制御方法において、
画面の所定矩形エリアに表示されたＲ、Ｇ、Ｂ各信号レベルが略同一で高輝度レベルの映像信号をフレームごとに検出して記憶し、
前記フレームごとに記憶された映像パターンを順次比較照合することにより、前記所定エリア信号抽出手段で検出して記憶されたＲ、Ｇ、Ｂ各信号レベルが略同一で高輝度レベルの前記映像信号のパターンの動きを検出し、
Ｒ、Ｇ、Ｂ各信号レベルが略同一で高輝度レベルの前記映像信号が所定時間継続して存在することを前記パターンマッチング動き検出手段が検出したとき、Ｒ、Ｇ、Ｂ各信号レベルが略同一で高輝度レベルの前記映像信号をテロップと判断し、
ＯＳＤ表示する文字パターンの表示位置と前記テロップの表示位置の重なりを判別して重なりを生じない位置に文字パターンをＯＳＤ表示することを特徴とするテロップ表示時のＯＳＤ表示位置制御方法。
【請求項９】
Ｒ、Ｇ、Ｂ各信号レベルが略同一で高輝度レベルの前記映像信号が同一パターンで所定時間継続して同一位置に表示されているときテロップと判断することを特徴とする請求項８に記載のテロップ表示時のＯＳＤ表示位置制御方法。
【請求項１０】
Ｒ、Ｇ、Ｂ各信号レベルが略同一で高輝度レベルの前記映像信号が同一パターンで所定時間継続して動いているときテロップと判断することを特徴とする請求項８に記載のテロップ表示時のＯＳＤ表示位置制御方法。
【請求項１１】
Ｒ、Ｇ、Ｂ各信号レベルが略同一で高輝度レベルの前記映像信号のパターンがランダムな動きをしているときは、前記ＯＳＤ表示する文字パターンの表示位置を予め決められた標準位置に設定することを特徴とする請求項８に記載のテロップ表示時のＯＳＤ表示位置制御方法。
【請求項１２】
前記ＯＳＤ表示する文字パターンの表示位置と前記テロップの表示位置の重なると判別したとき、前記ＯＳＤ表示する文字パターンの表示位置をサイドパネルに設定することを特徴とする請求項８乃至請求項１１のいずれか一項に記載のテロップ表示時のＯＳＤ表示位置制御方法。
【請求項１３】
前記ＯＳＤ表示する文字パターンの表示位置と前記テロップの表示位置の重なると判別したとき、前記ＯＳＤ表示する文字パターンの表示位置を画面隅位置でかつ前記テロップと重ならない位置に設定することを特徴とする請求項８乃至請求項１１のいずれか一項に記載のテロップ表示時のＯＳＤ表示位置制御方法。
【請求項１４】
前記Ｒ、Ｇ、Ｂ各信号レベルが略同一で高輝度レベルの映像信号は、輝度レベルが９０％を超えた映像信号であることを特徴とする請求項８乃至請求項１３のいずれか一項に記載のテロップ表示時のＯＳＤ表示位置制御方法。
【発明の詳細な説明】
【技術分野】
【０００１】
本発明は、映像表示装置、及びその表示画面におけるＯＳＤ表示位置制御方法に係り、特に表示時間の短いテロップが表示されたときのＯＳＤ表示位置制御方法に関する。
【背景技術】
【０００２】
テレビなどの表示画面において、番組放送中にニュース速報が特定エリアにテロップ表示されたり、文字放送や映画のビデオ再生では特定エリアに字幕が表示されることがある。
一方、時刻表示、チャンネルサイン、あるいはメニュー操作時のメニューなどがＯＳＤ表示される場合、位置が固定して表示される場合が多い。
この場合、ＯＳＤ表示が上記テロップや字幕と同時に表示されると、これらが重なってしまい、判読することができなくなってしまうことがあった。
【０００３】
図６はテロップとチャンネルサイン（ＣＨサイン）が重なった例を示している。図６は、表示装置の画面２０における映像表示エリア３０に対し、左右両サイドに余白(以下サイドパネルという)３１、３２がある場合を示している。テロップ３３の右側はチャンネルサイン４０と重なってしまい、見えなくなってしまっている。また、図７は、テロップとチャンネルサイン（ＣＨサイン）が重なった例を示しているが、この場合は、画面２０の映像表示エリア３５にサイドパネルはない。図６の例と同様、テロップ３６の右側はチャンネルサイン４１と重なってしまい、見えなくなってしまっている。
【０００４】
テロップ文字に、時刻表示、チャンネルサイン、あるいはメニュー表示などのＯＳＤ表示が重なって表示される問題を解決するものとして、特開平４−３６２８８１号公報（特許文献１）に提案されたものがある。この従来技術は、テロップ文字が色成分が含まれないこと、テロップ文字の輝度レベルが高いことを利用して、Ｒ、Ｇ、Ｂ各信号レベルが略同一でＧ信号レベルが一定の閾値を超えたとき、文字サイズの特性から文字情報か否かを判断するようにしている。このようにしてテロップの表示が検出されたときは、テロップ文字がＯＳＤ表示と重ならないようにＯＳＤ表示位置を移動するものである。
【特許文献１】特開平４−３６２８８１号公報
【発明の開示】
【発明が解決しようとする課題】
【０００５】
しかしながら、ニュース速報などで表示されるテロップは、表示時間が短いため、これに瞬時に対応しようとすると、通常の映像に対しても反応して誤動作してしまう。すなわち、高輝度レベルの動きのある映像を高輝度レベルのスクロールされるテロップ文字として誤認識してしまう問題があった。
そこで本発明の目的は、短時間表示されるテロップや、スクロールされるテロップに対しチャンネルサインやメニュー表示などのＯＳＤ表示が重ならないようにＯＳＤ表示位置を制御する際、誤動作を起こさないようにすることにある。
【課題を解決するための手段】
【０００６】
本発明の請求項１に係る発明の要旨は、受信した放送番組の映像を表示し、あるいは外部機器からの映像信号を入力して映像を表示する映像表示装置において、画面の所定矩形エリアに表示されたＲ、Ｇ、Ｂ各信号レベルが略同一で高輝度レベルの映像信号をフレームごとに検出して記憶する所定エリア信号抽出手段と、前記フレームごとに記憶された映像パターンを順次比較照合することにより、前記所定エリア信号抽出手段で検出して記憶されたＲ、Ｇ、Ｂ各信号レベルが略同一で高輝度レベルの前記映像信号のパターンの動きを検出するパターンマッチング動き検出手段と、Ｒ、Ｇ、Ｂ各信号レベルが略同一で高輝度レベルの前記映像信号が所定時間継続して存在することを前記パターンマッチング動き検出手段が検出したとき、Ｒ、Ｇ、Ｂ各信号レベルが略同一で高輝度レベルの前記映像信号をテロップと判断する手段と、ＯＳＤ表示する文字パターンの表示位置と前記テロップの表示位置の重なりを判別して重なりを生じない位置に文字パターンをＯＳＤ表示する重なり回避手段を備えたことを特徴とする映像表示装置に存する。
また、本発明の請求項２に係る発明の要旨は、前記パターンマッチング動き検出手段は、Ｒ、Ｇ、Ｂ各信号レベルが略同一で高輝度レベルの前記映像信号が同一パターンで所定時間継続して同一位置に表示されているときテロップと判断する手段を備えたことを特徴とする請求項１に記載の映像表示装置に存する。
また、本発明の請求項３に係る発明の要旨は、前記パターンマッチング動き検出手段は、Ｒ、Ｇ、Ｂ各信号レベルが略同一で高輝度レベルの前記映像信号が同一パターンで所定時間継続して動いているときテロップと判断する手段を備えたことを特徴とする請求項１に記載の映像表示装置に存する。
また、本発明の請求項４に係る発明の要旨は、前記パターンマッチング動き検出手段は、Ｒ、Ｇ、Ｂ各信号レベルが略同一で高輝度レベルの前記映像信号のパターンがランダムな動きをしているときは、前記ＯＳＤ表示する文字パターンの表示位置を予め決められた標準位置に設定する手段を備えたことを特徴とする請求項１に記載の映像表示装置に存する。
また、本発明の請求項５に係る発明の要旨は、前記重なり回避手段は、前記ＯＳＤ表示する文字パターンの表示位置と前記テロップの表示位置の重なると判別したとき、前記ＯＳＤ表示する文字パターンの表示位置をサイドパネルに設定する手段を備えたことを特徴とする請求項１乃至請求項４のいずれか一項に記載の映像表示装置に存する。
また、本発明の請求項６に係る発明の要旨は、前記重なり回避手段は、前記ＯＳＤ表示する文字パターンの表示位置と前記テロップの表示位置の重なると判別したとき、前記ＯＳＤ表示する文字パターンの表示位置を画面隅位置でかつ前記テロップと重ならない位置に設定する手段を備えたことを特徴とする請求項１乃至請求項４のいずれか一項に記載の映像表示装置に存する。
また、本発明の請求項７に係る発明の要旨は、前記Ｒ、Ｇ、Ｂ各信号レベルが略同一で高輝度レベルの映像信号は、輝度レベルが９０％を超えた映像信号であることを特徴とする請求項１乃至請求項６のいずれか一項に記載の映像表示装置に存する。
また、本発明の請求項８に係る発明の要旨は、画面にテロップとＯＳＤ表示の文字パターンが同時に表示される映像表示装置のテロップ表示時のＯＳＤ表示位置制御方法において、画面の所定矩形エリアに表示されたＲ、Ｇ、Ｂ各信号レベルが略同一で高輝度レベルの映像信号をフレームごとに検出して記憶し、前記フレームごとに記憶された映像パターンを順次比較照合することにより、前記所定エリア信号抽出手段で検出して記憶されたＲ、Ｇ、Ｂ各信号レベルが略同一で高輝度レベルの前記映像信号のパターンの動きを検出し、Ｒ、Ｇ、Ｂ各信号レベルが略同一で高輝度レベルの前記映像信号が所定時間継続して存在することを前記パターンマッチング動き検出手段が検出したとき、Ｒ、Ｇ、Ｂ各信号レベルが略同一で高輝度レベルの前記映像信号をテロップと判断し、ＯＳＤ表示する文字パターンの表示位置と前記テロップの表示位置の重なりを判別して重なりを生じない位置に文字パターンをＯＳＤ表示することを特徴とするテロップ表示時のＯＳＤ表示位置制御方法に存する。
また、本発明の請求項９に係る発明の要旨は、Ｒ、Ｇ、Ｂ各信号レベルが略同一で高輝度レベルの前記映像信号が同一パターンで所定時間継続して同一位置に表示されているときテロップと判断することを特徴とする請求項８に記載のテロップ表示時のＯＳＤ表示位置制御方法に存する。
また、本発明の請求項１０に係る発明の要旨は、Ｒ、Ｇ、Ｂ各信号レベルが略同一で高輝度レベルの前記映像信号が同一パターンで所定時間継続して動いているときテロップと判断することを特徴とする請求項８に記載のテロップ表示時のＯＳＤ表示位置制御方法に存する。
また、本発明の請求項１１に係る発明の要旨は、Ｒ、Ｇ、Ｂ各信号レベルが略同一で高輝度レベルの前記映像信号のパターンがランダムな動きをしているときは、前記ＯＳＤ表示する文字パターンの表示位置を予め決められた標準位置に設定することを特徴とする請求項８に記載のテロップ表示時のＯＳＤ表示位置制御方法に存する。
また、本発明の請求項１２に係る発明の要旨は、前記ＯＳＤ表示する文字パターンの表示位置と前記テロップの表示位置の重なると判別したとき、前記ＯＳＤ表示する文字パターンの表示位置をサイドパネルに設定することを特徴とする請求項８乃至請求項１１のいずれか一項に記載のテロップ表示時のＯＳＤ表示位置制御方法に存する。
また、本発明の請求項１３に係る発明の要旨は、前記ＯＳＤ表示する文字パターンの表示位置と前記テロップの表示位置の重なると判別したとき、前記ＯＳＤ表示する文字パターンの表示位置を画面隅位置でかつ前記テロップと重ならない位置に設定することを特徴とする請求項８乃至請求項１１のいずれか一項に記載のテロップ表示時のＯＳＤ表示位置制御方法に存する。
また、本発明の請求項１４に係る発明の要旨は、前記Ｒ、Ｇ、Ｂ各信号レベルが略同一で高輝度レベルの映像信号は、輝度レベルが９０％を超えた映像信号であることを特徴とする請求項８乃至請求項１３のいずれか一項に記載のテロップ表示時のＯＳＤ表示位置制御方法に存する。
【発明の効果】
【０００７】
本発明によれば、短時間表示されるテロップや、スクロールされるテロップに対しチャンネルサインやメニュー表示などのＯＳＤ表示が重ならないようにＯＳＤ表示位置を制御する際、誤動作を起こさないようにすることができる。
【発明を実施するための最良の形態】
【０００８】
次に、本発明を実施するための最良の形態を、図面を参照して具体的に説明する。
【０００９】
図１は本発明を実施するためのテレビ受像機の具体的な実施の形態を示したものである。但し音声処理部は省略してある。
【００１０】
図１において、１は放送局からの電波を受信するアンテナ、２は放送番組の信号を選局、復調するチューナである。放送番組の選局は図示しないリモコンなどのチャンネル選局指令装置をユーザが操作することにより、マイコン１３がこれを認識し、マイコン１３からチューナ２に選局指令信号が送出される。これによりチューナ２が目的の放送番組を選局するようになっている。
【００１１】
３は映像信号をデコードするデコーダである。チューナ２で選局され、復調された放送番組の映像信号は、地上ディジタル放送、ＢＳディジタル放送、ＣＳディジタル放送などのディジタル放送の場合、圧縮された映像信号となっているので、これを圧縮されていない映像信号にデコーダ３によって変換する。
【００１２】
４はビデオ信号入力端子であり、外部に接続されたビデオ装置、ＤＶＤなどからビデオ信号が入力される。５はデコーダ３からの映像信号とビデオ信号入力端子４からのビデオ信号のいずれかを選択して出力する入力セレクタである。６は入力された映像信号を液晶表示装置で表示するのに適した信号にする表示信号処理部であり、ＩＰ変換／ＲＧＢプロセッサが備わり、インターレスとプログレッシブの変換やＲ（赤色）、Ｇ（緑色）、Ｂ（青色）信号などを生成する。
【００１３】
７は表示信号処理部６からの映像信号とチャンネルサインなどのＯＳＤ表示データを合成するチャンネルサイン重畳部である。チャンネルサイン重畳部７で映像信号にＯＳＤ表示データが合成された出力信号は液晶表示装置ドライバ（ＬＣＤドライバ）８を通って液晶表示装置９に供給され、液晶表示装置（ＬＣＤ表示装置）９は選局された放送番組の映像にチャンネルサインなどが合成された映像を表示する。
【００１４】
１０は所定エリア信号抽出部である。上記表示信号処理部６は、チャンネルサイン重畳部７に映像信号を供給すると同時に、所定エリア信号抽出部１０にも映像信号を供給する。
【００１５】
ここで、所定矩形エリアとは図２に符号２２、２３で示したように、液晶表示装置９の画面２０におけるテロップを表示する所定矩形エリアを示している。テロップは、画面２０において映像表示エリア２１の所定矩形エリア２２、２３に表示されるようになっている場合が殆どであるので、この所定矩形エリア２２、２３に文字列が表示されているかをチェックすることによりテロップの検出が行われる。この場合、所定矩形エリア２２、２３のうちＯＳＤ表示に対応したエリアのみチェックするようにしても良い。
【００１６】
所定エリア信号抽出部１０はフレームごとの映像データを表示信号処理部６から受け取り、所定矩形エリアの映像信号を抽出して、フレームごとに記憶する。
【００１７】
１１はパターンマッチング動き検出部である。パターンマッチング動き検出部１１は所定エリア信号抽出部１０に記憶されたフレームごとの映像情報をもとに、前のフレームと後のフレームで映像パターンが一致するものがあるか照合し、一致したパターンがあった場合に、そのパターンがどのような動きをしているかを検出する。
【００１８】
また、図１において、１２はチャンネルサイン位置制御部であり、チャンネルサインの位置を指定する位置情報信号をチャンネルサイン重畳部７に出力する。
【００１９】
１３はマイクロコンピュータ（以下マイコンという）であり、所定エリア信号抽出部１０、パターンマッチング動き検出部１１からテロップに関する情報を受け取り、チャンネルサインの表示位置を変えるかどうか判断し、表示位置を変える場合にはチャンネルサイン位置制御部１２に位置変更の指令を送る。またマイコン１３はチャンネルサインの文字パターン情報信号をチャンネルサイン重畳部７に出力する。
【００２０】
チャンネルサイン重畳部７は、マイコン１３からの文字パターン情報信号とチャンネルサイン位置制御部１２からの位置情報信号に基づき、指定された位置にチャンネルサインを映像合成する。
【００２１】
マイコン１３は、その他図１に示された各制御ブロック全体を制御している。
【００２２】
次に、図３のフローチャートを参照しながら、本実施の形態の動作を説明する。以下ＯＳＤ表示をチャンネルサイン表示として説明するが、ＯＳＤ表示は時間表示や各種メニュー表示などがあり、チャンネルサイン表示には限定されない。
【００２３】
まず、テレビジョン受像機が放送番組をアンテナ１、チューナ２、デコーダ３を通して受信し、或いは外部のビデオ装置などからビデオ信号入力端子４を通して受信し、ＬＣＤ表示装置９に映像を表示しているとする。
【００２４】
このとき、ステップＳ１においてユーザのリモコン操作などによりチャンネルサインをＯＳＤ表示する設定がなされると、ステップＳ２において、マイコン１３は所定エリア信号抽出部１０に最初のフレームにおける図２に示した上下の所定矩形エリア２２、２３の映像信号を抽出するよう指令する。マイコン１３からこの指令を受けた所定エリア信号抽出部１０は所定矩形エリア２２、２３の映像信号を抽出しフレームごとに記憶する。また、マイコン１３は所定エリア信号抽出部１０で抽出した映像信号情報を読み取ることができる。
【００２５】
ステップＳ３においてマイコン１３はカウンタに設定されるカウンタ値ｎの値をｎ＝１とする。このカウンタはマイコン１３によりソフトウウェアで実現される。
【００２６】
次にステップＳ４において、マイコン１３は所定エリア信号抽出部１０から読み取った所定矩形エリア２２、２３の映像信号を基に、所定矩形エリア２２、２３に輝度レベルが９０％以上の映像信号が有るかを確認する（”輝度レベルが９０％以上の映像信号”とはＲ、Ｇ、Ｂ各信号レベルが略同一で輝度レベルが９０％を超えた映像信号のことをいうものとする。なお、輝度レベルは９０％程度が良いが、これに限定されず、誤動作を生じない範囲で任意に一定の閾値を設定できる）。
【００２７】
マイコン１３は、ステップＳ４において輝度レベルが９０％以上の映像信号がなかった場合（Ｎｏ）はテロップが表示されていないとして、処理をステップＳ５に進める。ステップＳ５においてマイコン１３はカウンタ値ｎをｎ＝０とする。
【００２８】
ステップＳ６において、マイコン１３はチャンネルサインの表示位置が予め決められた標準位置になるようにチャンネルサイン位置制御部１２を設定する。
【００２９】
次にステップＳ１８に進み、チャンネルサイン重畳部７はチャンネルサイン位置制御部１２からの位置情報とマイコン１３からのＯＳＤ表示文字のパターン情報をもとに映像合成を行いチャンネルサイン表示を行う。次にステップＳ７に戻り、処理を継続する。
【００３０】
ステップＳ４において、輝度レベルが９０％以上の映像信号が有る（Ｙｅｓ）場合、この情報を所定エリア信号抽出部１０から受け取ったマイコン１３は処理をステップＳ７に進める。ステップＳ７では、所定エリア信号抽出部１０は次のフレームの所定矩形エリア２２、２３の映像信号を抽出し記憶する。ステップＳ８においてマイコン１３はカウンタ値ｎをｎ＝ｎ＋１にカウントアップする。
【００３１】
ステップＳ９において、マイコン１３は所定エリア信号抽出部１０からの情報をもとに今回抽出された所定矩形エリア２２、２３に輝度レベルが９０％以上の映像信号が有るかを確認する。ステップＳ９において輝度レベルが９０％以上の映像信号がない（Ｎｏ）場合、マイコン１３は処理をステップＳ５に進める。ステップＳ５においてマイコン１３はカウンタ値ｎをｎ＝０とする。
【００３２】
ステップＳ６において、マイコン１３はチャンネルサインの表示位置が予め決められた標準位置になるようにチャンネルサイン位置制御部１２を設定する。
【００３３】
次にステップＳ１８に進み、チャンネルサイン重畳部７はチャンネルサイン位置制御部からの位置情報とマイコン１３からのＯＳＤ表示文字情報をもとに映像合成を行いチャンネルサイン表示を行う。次にステップＳ７に戻り、処理を継続する。
【００３４】
ステップＳ９において、輝度レベルが９０％以上の映像信号が有る（Ｙｅｓ）場合、この情報を所定エリア信号抽出部１０から受け取ったマイコン１３は処理をステップＳ１０に進める。
【００３５】
ステップＳ１０は、所定矩形エリア２２、２３における輝度レベルが９０％以上の映像信号がどのような動きをしているかをパターンマッチング動き検出部１１によりチェックするである。パターンマッチング動き検出部１１は、所定エリア信号抽出部１０にフレームごとに記憶された所定矩形エリア２２、２３の映像信号をもとに、時系列的に前後のフレームにおける所定矩形エリア２２、２３の映像パターンを比較対照する。そしてパターンマッチング動き検出部１１は（１）ランダムに映像パターンが動く場合、（２）映像パターンに動きがない場合、（３）映像パターンの動きが水平方向、垂直方向など同一方向の動きをする場合、の３つに場合わけする。マイコン１３は、パターンマッチング動き検出部１１が上記（１）（２）（３）のいずれの場合と判断したかを読み取れるようになっている。
【００３６】
ステップＳ１０において、（１）のランダムにパターンが動く場合と判断されたときは、所定矩形エリア２２、２３に、テロップではない高輝度レベルの動きのある映像が表示されたものとみなし、チャンネルサインの表示位置の変更は行わない。この場合はマイコン１３は処理をステップＳ５に進める。ステップＳ５においてマイコン１３はカウンタ値ｎをｎ＝０とする。
【００３７】
ステップＳ６において、マイコン１３はチャンネルサインの表示位置が予め決められた標準位置になるようにチャンネルサイン位置制御部１２を設定する。
【００３８】
次にステップＳ１８に進み、チャンネルサイン重畳部７はチャンネルサイン位置制御部からの位置情報とマイコン１３からのＯＳＤ表示文字情報をもとに映像合成を行いチャンネルサイン表示を行う。次にステップＳ７に戻り、処理を継続する。
【００３９】
ステップＳ１０において、（２）のパターンに動きがない場合と判断された場合には、静止したテロップ文字が表示されている可能性があるので、マイコン１３は所定時間この状態が継続するかどうかをステップＳ１１でチェックする。これはステップＳ８で順次更新されるｎの値が所定値Ｎ１以上かどうかを見ることにより行われる。フレームの更新は１秒間に何回行われるか決まっているので、例えば５秒間に更新されるフレームの枚数をＮ２として設定しておく。
【００４０】
ステップＳ１１において、所定矩形エリア２２、２３の映像信号の同一パターンが５秒にならないがまだ存在している場合（ｎ＜Ｎ２）には、マイコン１３はステップＳ７に戻って処理を継続する。この場合、所定矩形エリア２２、２３の映像信号の同一パターンが５秒にならないで消滅してしまった場合には次のステップＳ９でＮｏとなりステップＳ５、Ｓ６、Ｓ１８と処理が進むようになる。
【００４１】
ステップＳ１１で同一パターンが５秒以上（ｎ≧Ｎ２）所定矩形エリア２２、２３に存在する場合には、ステップＳ１３に進む。
【００４２】
ステップＳ１０において、（３）のパターンの動きが水平方向、垂直方向など同一方向の動きをする場合と判断されたときは、テロップ文字がスクロール表示されている可能性があるので、マイコン１３は所定時間この状態が継続するかどうかをステップＳ１２でチェックする。これはステップＳ８で順次更新されるカウンタ値ｎが所定値Ｎ１以上かどうかを見ることにより行われる。フレームの更新は１秒間に何回行われるか決まっているので、例えば１秒間に更新されるフレームの枚数をＮ１として設定しておく。
【００４３】
ステップＳ１２において、所定矩形エリア２２、２３の映像信号の同一パターンが１秒にならないがまだ存在している場合（ｎ＜Ｎ１）には、マイコン１３はステップＳ７に戻って処理を継続する。この場合、所定矩形エリア２２、２３の映像信号の同一パターンが１秒にならないで消滅してしまった場合には次のステップＳ９でＮｏとなりステップＳ５、Ｓ６、Ｓ１８と処理が進むようになる。
【００４４】
ステップＳ１２で同一パターンが１秒以上（ｎ≧Ｎ１）所定矩形エリア２２、２３に存在する場合には、マイコン１３は処理をステップＳ１３に進める。
【００４５】
なお、上記設定値Ｎ１、Ｎ２は１秒、５秒に限らず、誤動作を起こさない範囲でできるだけ短くなるように設定すればよい。
【００４６】
ステップＳ１１、ステップ１２からステップ１３に進む場合は、テロップが所定時間以上継続して表示されていると判断された場合である。このときテロップ表示位置とチャンネルサイン表示位置が重なる場合にはステップ１３以下のステップでこれらの重なりを回避するようにチャンネルサイン表示位置を変更する。
【００４７】
まず、ステップ１３において、テロップが表示されていると判断された位置を記憶する。次に、ステップＳ１４において、テロップ表示位置とチャンネルサイン表示位置が重なるかどうかをチェックする。マイコン１３はチャンネルサイン表示をする場合の標準位置を予め認識しているので、所定エリア信号抽出部１０に記憶されたフレームごとの所定矩形エリア２２、２３の映像信号からテロップ表示位置情報を読み取り、チャンネルサインの表示位置と重なるかどうかを判断する。
【００４８】
ステップＳ１４においてテロップ表示位置とチャンネルサインの表示位置が重ならない（Ｎｏ）と判別された場合にはマイコン１３は処理をステップＳ５に進める。ステップＳ５においてマイコン１３はカウンタ値ｎをｎ＝０とする。
【００４９】
ステップＳ６において、マイコン１３はチャンネルサインの表示位置が予め決められた標準位置になるようにチャンネルサイン位置制御部１２を設定する。
【００５０】
次にステップＳ１８に進み、チャンネルサイン重畳部７はチャンネルサイン位置制御部１２からの位置情報とマイコン１３からのＯＳＤ表示文字情報をもとに映像合成を行いチャンネルサイン表示を行う。次にステップＳ７に戻り、処理を継続する。
【００５１】
ステップＳ１４においてテロップ表示位置とチャンネルサインの表示位置が重なる（Ｙｅｓ）と判別した場合には処理をステップＳ１５に進める。
【００５２】
ステップＳ１５では画面２０に余白（サイドパネル）が有るかどうかをチェックする。余白（サイドパネル）が有る場合にはステップ１６に進み、マイコン１３はチャンネルサイン位置制御部１２の位置情報を余白位置に設定する。次にステップＳ１８に進み、余白にチャンネルサインを表示する。この表示例を図４に示す。図４に示されるように、チャンネルサイン表示位置が画面上部のテロップに対し右上隅の余白（サイドパネル）上に変更され、重なりが防止されている。
【００５３】
以下ステップＳ７に戻り処理を続ける。
【００５４】
ステップＳ１５で、余白（サイドパネル）がないと判断された場合にはステップ１７に進み、マイコン１３はチャンネルサイン位置制御部１２の位置情報を画面隅位置で且つテロップ位置と重ならない位置に設定する。次にステップＳ１８に進み、テロップと重ならない画面隅位置にチャンネルサインを表示する。この表示例を図５に示す。図５に示されるように、チャンネルサイン表示位置が画面上部のテロップに対し左下隅に変更され、重なりが防止されている。
【００５５】
以下ステップＳ７に戻り処理が続けられる。
【００５６】
以上の説明ではステップＳ４、Ｓ９における輝度レベルを９０％としたが。これに限定されず実施することができる。
【００５７】
以上、本実施の形態によれば、ランダムパターンの動きをする高輝度レベルの映像パターンとテロップのパターンの動きとを確実に区別することができ、短時間表示されるテロップや、スクロールされるテロップに対しチャンネルサインやメニュー表示などのＯＳＤ表示が重ならないようにＯＳＤ表示位置を制御する際、誤動作を起こさないようにすることができる。
【００５８】
以上、具体的な実施の形態で本発明を説明したが、本発明は上記実施の形態に限定されないことは言うまでもない。
【産業上の利用可能性】
【００５９】
本発明は、テレビジョン受像機に限らず、ビデオ再生装置やＤＶＤなどの映像表示装置に広く利用できる。
【図面の簡単な説明】
【００６０】
【図１】本発明の具体的な実施の形態の一例であるテレビジョン受像装置の構成図を示す。
【図２】本発明が適用されるテレビジョン受像装置の表示画面で、テロップが表示される特定エリアを示す図である。
【図３】本発明における実施の形態の動作を説明するフローチャートである。
【図４】本発明によるテロップとチャンネルサインの重なりを防止した一例を示した図である。
【図５】本発明によるテロップとチャンネルサインの重なりを防止した他の一例を示した図である。
【図６】従来技術による、テロップとチャンネルサインが重なりを生じている一例を示す図である。
【図７】従来技術による、テロップとチャンネルサインが重なりを生じている他の一例を示す図である。
【符号の説明】
【００６１】
１・・・アンテナ
２・・・チューナ
３・・・デコーダ
４・・・ビデオ信号入力端子
５・・・入力セレクタ
６・・・表示信号処理部
７・・・チャンネルサイン重畳部
８・・・液晶表示装置ドライバ（ＬＣＤドライバ）
９・・・液晶表示装置（ＬＣＤ表示装置）
１０・・・所定エリア信号抽出部
１１・・・パターンマッチング動き検出部
１２・・・チャンネルサイン位置制御部
１３・・・マイコン（マイクロコンピュータ）
２０・・・画面
２１、３０、３５・・・映像表示エリア
２２、２３・・・所定矩形エリア
３１、３２・・・余白(サイドパネル)
３３、３６・・・テロップ
３４、３７、４０、４１・・・チャンネルサイン
【図１】
2007028347.tif 000003
【図２】
2007028347.tif 000004
【図３】
2007028347.tif 000005
【図４】
2007028347.tif 000006
【図５】
2007028347.tif 000007
【図６】
2007028347.tif 000008
【図７】
2007028347.tif 000009